(57)【特許請求の範囲】
【請求項１】
表示器と、該表示器を駆動する駆動手段と、少なくとも文字コードと全角・半角を示す文字の大きさコードと太字・標準字を示す修飾コードとからなるコードデータを記憶する記憶手段と、該記憶手段に記憶されたコードデータをドットデータに変換し、前記駆動手段に転送する制御手段と、前記記憶手段に記憶されたコードデータを編集する編集手段とを有する表示装置において、
前記制御手段により変換されたドットデータのうち所定のドットデータを指定する外部入力手段を備え、該外部入力手段により指定されたドットデータに対して前記編集手段により全角・太字の文字を半角に変更する指示があった場合、前記制御手段は、半角・標準字に変更することを特徴とする表示装置。
【請求項２】
表示器と、該表示器を駆動する駆動手段と、少なくとも文字コードと全角・半角を示す文字の大きさコードと太字・標準字を示す修飾コードとからなるコードデータを記憶する記憶手段と、該記憶手段に記憶されたコードデータをドットデータに変換し、前記駆動手段に転送する制御手段と、前記記憶手段に記憶されたコードデータを編集する編集手段とを有する表示装置において、
前記制御手段により変換されたドットデータのうち所定のドットデータを指定する外部入力手段を備え、該外部入力手段により指定されたドットデータに対して前記編集手段により半角・標準字の文字を太字に変更する指示があった場合、前記制御手段は、当該指示を無効とし半角・標準字を維持すること特徴とする表示装置。
【発明の詳細な説明】
【０００１】
【発明の属する技術分野】
本発明は、ドットマトリクス型の電光表示装置に関する。
【０００２】
【従来の技術】
近年、特開昭６０−１０７０８４号公報に示されるようなＬＥＤ等によるドットマトリクス表示器を用い、店頭、街頭、バス案内等において文字、図形、記号等の情報を表示する電光表示装置が商品化されている。
【０００３】
このような電光表示装置においては、文字あるいは図形等の表示データをパソコン等の編集装置によりメモリカードに書込み、そしてこのメモリカードを電光表示装置のソケットに装着することで所定の表示ができるようにしている。
【０００４】
このメモリカードには、文字コードの他に、スクロール、フラッシュ、ストップモード等の表示動作を指定する表示モードコード、全角・半角を示すコード、太字・反転等の文字修飾を示すコード等も同時に書込むことができ、これにより多彩な表示が可能になる。
【０００５】
また、特開平１１−３０５９１９号公報に開示されているように、パソコン等の編集装置を使用しなくとも、赤外線式リモコン等より表示装置に直接表示データを入力することができるものも発明されている。
【０００６】
【発明が解決しようとする課題】
このような赤外線式リモコンにより直接表示データを入力できるものにあっては、メモリカードからのデータを編集することも可能であり、例えば、メモリカードには全角で書込まれた文字コードを赤外線リモコンにより半角の文字コードに変更することもできる。
【０００７】
しかしながら、メモリカードに全角・太字で書込まれた文字コードを、赤外線リモコンにより半角の文字コードに変更すると、太字のコードはそのまま残るので表示器上では文字が潰れて判読し難くなるという問題があった。
【０００８】
【課題を解決するための手段】
本発明の表示装置は上記点に鑑み、表示器と、該表示器を駆動する駆動手段と、少なくとも文字コードと全角・半角を示す文字の大きさコードと太字・標準字を示す修飾コードとからなるコードデータを記憶する記憶手段と、該記憶手段に記憶されたコードデータをドットデータに変換し、前記駆動手段に転送する制御手段と、前記記憶手段に記憶されたコードデータを編集する編集手段とを有する表示装置において、
前記制御手段により変換されたドットデータのうち所定のドットデータを指定する外部入力手段を備え、該外部入力手段により指定されたドットデータに対して前記編集手段により全角・太字の文字を半角に変更する指示があった場合、前記制御手段は、半角・標準字に変更することを特徴とするものである。
【０００９】
また、本発明の表示装置は、表示器と、該表示器を駆動する駆動手段と、少なくとも文字コードと全角・半角を示す文字の大きさコードと太字・標準字を示す修飾コードとからなるコードデータを記憶する記憶手段と、該記憶手段に記憶されたコードデータをドットデータに変換し、前記駆動手段に転送する制御手段と、前記記憶手段に記憶されたコードデータを編集する編集手段とを有する表示装置において、
前記制御手段により変換されたドットデータのうち所定のドットデータを指定する外部入力手段を備え、該外部入力手段により指定されたドットデータに対して前記編集手段により半角・標準字の文字を太字に変更する指示があった場合、前記制御手段は、当該指示を無効とし半角・標準字を維持すること特徴とするものである。
【００１０】
【発明の実施の形態】
図１は、本発明の表示装置のブロック図を示し、１は、発光ダイオードランプを使用した例えば１６×１２８ドット（１６×１６ドット８文字表示）構成のドットマトリクス型の表示器、２は表示器１を駆動するドライバである。３はＣＰＵで、ＲＯＭからなるプログラムメモリ４にしたがって各回路を制御する。５はＲＡＭからなるデータメモリ、６はメモリカード７が装着されるソケットである。メモリカード７には、パソコン等の編集装置により、文字あるいは図形等の表示データの他に、スクロール、フラッシュ、ストップモード等の表示動作を指定する表示モードコード、全角・半角を示すコード、太字・標準字の文字修飾を示すコードも書込まれる。このメモリカード７に書込まれるデータのフォーマットは、図２のように構成されている。各データは、２ｂｙｔｅ構成で、１行分のデータの最初には表示モードコードが位置する。表示モードは、例えば、ストップ表示モード（一行分の表示を静止状態で行なうモード）、スクロール表示モードの２種類とする。続いて、文字の大きさコード、文字修飾コード、文字コードの組合わせで１文字分のデータが構成される。文字の大きさコードは、全角（１６×１６ドット）、半角（１６×８ドット）のいずれかを示すものである。また、文字修飾コードは、標準字、太字のいずれかを示すものである。文字コードには、スペースも含まれているが、スペースの場合は、文字の大きさコード、文字修飾コードは付加されない。８文字（全角）分の文字コードの最後には、行の終了を示す行ターミネイタコードが位置することになる。なお、メモリカード７のデータは、データメモリ５に転送されることになる。
【００１１】
８は文字コードに対応する全角・標準字のドットデータを格納するＲＯＭからなるフォントメモリである。９は実際の表示をするドット単位の一行分のデータをもつＲＡＭからなるリフレッシュメモリで、セレクタ１０を介してＣＰＵ３及びリフレッシュ回路１１とデータの授受を行なう。セレクタ１０は、ＣＰＵ３からのアクセスがない場合にはリフレッシュ回路１１からのアクセスに応ずるように設定されている。また、このリフレッシュ回路１１は、セレクタ１０に対し常時アクセスし、そしてセレクタ１０がアクセスに応じた場合、リフレッシュメモリ９のデータをドライバ２に転送する。この構成において、スクロール表示をするときは、スクロールスピードに合わせて列が１ビットづつシフトするようにセレクタを介して表示ドットデータをリフレッシュメモリ９に転送し、またストップ表示をするときは、一行分の表示ドットデータを一度にリフレッシュメモリ９にセレクタ１０を介して転送することになる。
【００１２】
１２は赤外線リモコン１３からの赤外線信号を受光する受光部で、受光した信号を所定の形式のデータに変換してＣＰＵ３に転送する。赤外線リモコン１３の操作部を図３に示す。図３において、１４は編集モードキーで、登録文章の文字変更等のモードに設定するキーである。１５はカーソルキーで、カーソルを左右に移動させるためのものである。１６は修飾キーで、カーソル上の文字を標準／太字に変換するキーである。１７は大きさキーで、カーソル上の文字を全角／半角に変換するキーである。１８はカーソル上の文字を削除するクリアキーてある。１９はテンキーで、文字モードキー２０による文字入力モードに従って「数字」「ひらがな」「ローマ字」を入力するキーである。文字モードキー２０の操作により「数字」「ひらがな」「ローマ字」…「数字」のモードに順次切換わり、例えば、「ひらがな」のモードにあっては、「１」キーの操作回数によって「あいうえお」の入力ができる（例えば、１回の操作であれば「あ」、２回の操作であれば「い」となり、６回の操作で「あ」に戻る）。２１は変換キーであり、「ひらがな」モードの入力時、入力した文字を漢字変換・カタカナ変換するものである。２２は漢字変換・カタカナ変換の決定及び編集の決定を行なう決定キーである。
【００１３】
図４は、上記構成において、プログラムメモリ４に書込まれた要部のプログラムのフローチャートを示し、以下このフローチャートに基づいて動作を説明する。
【００１４】
まず、パソコン等の編集装置によりメモリカード７に例えば「三洋電機株式会社」（表示モードは、スクロール、「三洋電機」は、全角・太字、「株式会社」は、全角・標準字）が書込まれているものとする。このメモリカード７がソケット６に装着されると、ＣＰＵ３は、メモリカード７に書込まれたコードデータをデータメモリ５に転送し（ステップＳ１，２）、そのコードデータをフォントメモリ８のデータに基づきドットデータに変換してデータメモリ５のドットデータ領域に格納すると共に、当該ドットデータをスクロールスピードに従いセレクタ１０を介してリフレッシュメモリ９に転送する（ステップＳ３）。これにより、表示器１に「三洋電機株式会社」のスクロール表示をすることができる。なお、「三洋電機」は全角・太字、「株式会社」は全角・標準字としているので、「株式会社」についてはフォントメモリ８からのドットデータをそのままデータメモリ５に書込み、「三洋電機」についてはフォントメモリ８からのドットデータを全角・太字に変換してデータメモリ５に書込こんでおり、表示器１にはこれらの態様でスクロール表示されることになる。
【００１５】
このスクロール表示状態において、リモコン１３の編集キー１４が操作されると、ＣＰＵ３は、表示モードをストップ表示とし、カーソルを文頭に位置させる（ステップＳ４，５）。即ち、「三洋電機株式会社」が表示器１にストップ表示され、「三」の位置にカーソルが位置することになる。そして、ＣＰＵ３は、カーソル位置の文字の大きさコード、文字修飾コードを判定する（ステップＳ６，９）。ここで、「三」は全角・太字であり、ステップＳ６，９を経てステップＳ１１に移行してキー操作を監視する。ここで、大きさキー１７が操作されると、「三」は全角であるため、ＣＰＵ３は、「三」を半角に変更するが、太字ではなく標準字に変更するようデータメモリ５のドットデータ、コードデータを変更する（ステップＳ１３）。これにより、表示器１は、「三」が半角・標準字となったストップ表示になる。ステップＳ１１にて大きさキー１７以外のキーが操作されると、それに応じた編集処理を行なうことになる（ステップＳ１２）。例えば、修飾キー１６が操作されると、「三」を全角・標準字となるようにデータメモリ５のドットデータ、コードデータを変更する。次に、カーソルキー１５により、カーソルを「株」に位置させた場合は、ステップＳ６，９を経てステップＳ１０に移行し、全てのキーに対する編集処理が行なわれる。例えば、修飾キー１６により全角・太字、また大きさキー１７により半角・標準字の「株」に変更できる。ここで「株」が半角・標準字に変更された場合、カーソル位置がこの「株」にあると、次はステップＳ６からステップＳ７に移行し、キー操作を監視する。このステップＳ７で文字修飾キー１６が操作されたことを検出した場合、半角・太字にはできないのでそのキー操作を無効にしてステップＳ１４に移行することになる。他のキーであれば、そのキー操作に応じた編集処理を行なうことになる（ステップＳ８）。
【００１６】
なお、ステップＳ８，１０，１２において、クリアキー１８が操作されると、カーソル位置の文字に対応するドットデータ、コードデータをデータメモリ５より削除する。また、テンキー１９が操作されると、カーソル文字の前にテンキー１９による入力文字が挿入される。但し、「数字」・「ローマ字」の入力モードでは、入力した文字が直ちに確定してドットデータ、コードデータの変更が行なわれるが（なお、入力当初は、全角・標準字である）、「かたかな」の入力モードでは、入力した「かたかな」文字が変換キー２１の操作により、所望の漢字等に変換された後、決定キー２２が操作されるまでは、データメモリ５のドットデータに対してのみデータの書込みが行われ（したがって、変換された文字は表示器１に表示されている）、コードデータに対しては書き込みが行われない。決定キー２２が操作されると、データメモリ５のコードデータに対しても対象文字のコードデータが書込まれることになる。
【００１７】
さて、Ｓ８，１０，１２，１３において、データメモリ５のドットデータ、コードデータの変更が行われた後、決定キー２２が操作されると（「かたかな」モードでの文字入力後であれば、続けて決定キー２２が操作される）、ステップＳ３に移行し、その変更されたデータに基づいて表示処理が行なわれることになる（ステップＳ１４）。例えば、上記例において、「三洋電機株式会社」の「三」を半角・標準字に変更した場合は、その態様でのスクロール表示がなされることになる。
【００１８】
【発明の効果】
本発明は、上記のように一旦書込んだ表示データを編集する場合、半角・太字への変更を禁止するようにしたものであり、見やすい表示を提供することができる。
【図面の簡単な説明】
【図１】本発明の表示装置のブロック図である。
【図２】本発明の表示装置のメモリカードに書込まれるデータのフォーマットを示す図である。
【図３】本発明の表示装置のリモコンの平面図である。
【図４】本発明の表示装置のプログラムメモリに書込まれた要部のプログラムのフローチャートである。
【符号の説明】
１  表示器
２  ドライバ
３  ＣＰＵ
４  プログラムメモリ
５  データメモリ
７  メモリカード
１２  受光部
１３  リモコン
【図１】
0003960809.tif 000002
【図２】
0003960809.tif 000003
【図３】
0003960809.tif 000004
【図４】
0003960809.tif 000005